(57)【要約】【課題】腱板の腱を関連上腕頭に付着させる方法及びシステムを提供する。【解決手段】方法は、位置ガイドを標的部位で上腕頭に向けて腱に通す工程と、縫合糸アンカーを横方向に腱の下に通すことにより、縫合糸アンカーを標的部位で上腕頭と腱との間に位置付ける工程と、を含む。縫合糸アンカーを上腕頭内に駆動させ、縫合糸を縫合糸アンカーから腱に通して標的部位で上腕頭に腱を付着させる。【選択図】図２
2011092741.tif 000002
【特許請求の範囲】
【請求項１】
縫合糸アンカーキットであって、
縫合糸アンカーであって、前記縫合糸アンカーから延在する少なくとも１本の縫合糸肢部を有し、骨に入るための遠位端部と、反対側の近位端部と、前記遠位端部と前記近位端部との間の側面と、を備える、縫合糸アンカーと、
前記縫合糸アンカーの側面をつかむよう適合された縫合糸アンカー通過用具と、を備える、キット。
【請求項２】
前記通過用具が、前記縫合糸アンカーに隣接して、また前記縫合糸アンカーを腱板の腱の下に通すのに十分なその長さにわたって、高さを有し、前記高さは前記縫合糸アンカーの遠位端部と近位端部との間の前記縫合糸アンカーの長さ未満である、請求項１に記載の縫合糸アンカーキット。
【請求項３】
前記縫合糸アンカーが側面に開口部を有し、前記用具が前記開口部内に収まる大きさの遠位先端部を備え、それにより前記アンカーをつかむ、請求項１に記載の縫合糸アンカーキット。
【請求項４】
前記縫合糸アンカーを腱板の腱の下に通すための説明書を含む使用説明書を更に含む、請求項１に記載の縫合糸アンカーキット。
【請求項５】
縫合糸アンカーキットであって、
腱板の腱を通過するよう適合された位置ガイドと、
縫合糸アンカーと、
前記縫合糸アンカーを上腕頭内に駆動するよう適合されたドライバと、
前記縫合糸アンカーを横方向に腱板の腱の下に通し、前記腱板の腱を通過する前記位置ガイドを妨害することにより、前記縫合糸アンカーを標的部位に位置付けるための説明書と、を備える、キット。
【請求項６】
縫合糸アンカーキットであって、
腱板の腱を通過するよう適合された位置ガイドと、
縫合糸アンカーと、
前記縫合糸アンカーを上腕頭内に駆動するよう適合されたドライバと、を備え、
前記ドライバが横方向に前記縫合糸アンカーと係合し、それらを横方向に前記腱板の腱の下に通すことにより、前記縫合糸アンカー及び前記ドライバを腱板の腱の下の標的部位に位置付ける、キット。
【請求項７】
前記ドライバがラチェット機構を備える、請求項６に記載の縫合糸アンカーキット。
【請求項８】
前記ドライバが、前記縫合糸アンカーがその中心軸の周りを回転するよう適合された動力源付回転ドライブヘッドを備える、請求項６に記載の縫合糸アンカーキット。
【請求項９】
縫合糸アンカーキットであって、
腱板の腱を通過するよう適合された位置ガイドと、
中心軸を通る中心孔を有する縫合糸アンカーであって、前記孔が横方向に開いており、それにより前記腱板の腱の真下の標的部位で前記位置ガイドと横方向に係合可能である、縫合糸アンカーと、
前記縫合糸アンカーを上腕頭内に駆動するよう適合されたドライバと、を備える、キット。
【請求項１０】
前記縫合糸アンカーが、第１の外側部と第２の外側部とを備え、前記第１の外側部と前記第２の外側部が、腱板の腱の真下の標的部位で互いに横方向に前記中心孔内の前記位置ガイドと係合可能である、請求項９に記載の縫合糸アンカーキット。
【請求項１１】
縫合糸アンカーキットであって、
腱板の腱を通過するよう適合された遠位鋭先端部を有する長手方向に延在する位置ガイドと、
前記位置ガイドの前記遠位先端部と螺合可能であり、上腕頭に骨穴を形成するよう適合された錐頭部と、
縫合糸アンカーと、
前記縫合糸アンカーを前記骨穴に挿入するよう適合されたドライバと、を備える、キット。
【請求項１２】
前記縫合糸アンカー及び錐のうちの少なくとも１つと横方向に係合可能であり、それにより前記腱板の腱の下に前記縫合糸アンカー及び錐のうちの少なくとも１つを挿入することを可能にするマニピュレータを更に備える、請求項１１に記載の縫合糸アンカーキット。
【請求項１３】
前記アンカーから延在する縫合糸と、縫合糸係合ノッチであって、前記ドライバ又は前記位置ガイドのうちの１つに設けられ、それにより前記縫合糸を前記縫合糸係合ノッチに捕捉し、前記腱板の腱に前記縫合糸を通す、縫合糸係合ノッチと、を更に含む、請求項１１に記載の縫合糸アンカーキット。
【発明の詳細な説明】
【技術分野】
【０００１】
本出願は、不全断裂腱板修復を実施するためのシステム及び方法に関する。
【背景技術】
【０００２】
肩腱板のＰＡＳＴＡ（腱関節面不全断裂）病変は、特に修復が困難である場合がある。腱板は、肩を取り囲む筋肉の群と、上腕頭にこれら筋肉を付着させる腱とを含む。腱は、それが上腕頭に付着する位置にフットプリントを有し、ＰＡＳＴＡ病変では腱のフットプリントの一部が上腕頭から離れる。かかる病変は、棘上筋腱において最も一般的に見られる。
【発明の概要】
【発明が解決しようとする課題】
【０００３】
治療の選択肢の１つは、完全に断裂させ、完全断裂についての標準的な技術を用いて修復することである。したがって保存されている既存の付着は失われ、腱全体を再付着させなければならない。別の選択肢は、腱を通じて上腕頭内に縫合糸アンカーを通し、縫合糸を腱に通し、腱を縛り付けて再付着を試みることである。これは腱に更なる傷害を引き起こす。
【課題を解決するための手段】
【０００４】
本発明は、現在の治療の選択肢を超える利点を提供する、ＰＡＳＴＡ病変を修復するシステム及び方法を提供する。
【０００５】
本発明に係る方法は、不全断裂腱板の腱をその関連上腕頭に付着させる。方法は、位置ガイドを標的部位で上腕頭に向けて腱に通す工程と、縫合糸アンカーを横方向に腱の下に通すことにより、縫合糸アンカーを標的部位で上腕頭と腱との間に位置付ける工程と、縫合糸アンカーを上腕頭内に駆動する工程と、縫合糸を縫合糸アンカーから腱に通して、標的部位で上腕頭に腱を付着させる工程と、を含む。
【０００６】
好ましくは、位置ガイドは針である。
【０００７】
本発明の１つの態様では、縫合糸アンカーを上腕頭内に駆動する工程は、腱と上腕頭との間に横方向に挿入された用具を介して縫合糸アンカーを回転させることを含む。用具はラチェット駆動を使用してもよい。
【０００８】
本発明の別の態様では、縫合糸アンカーを駆動する工程は、ドライバを位置ガイドの上から腱に通して、縫合糸アンカーを係合させることを含む。ドライバが縫合糸アンカーを上腕頭内に回転させるよう縫合糸アンカーはねじ付であってもよく、又はドライバは単に縫合糸アンカーを上腕頭に押し込む若しくは上腕頭を叩打する（mallet）こともできる。
【０００９】
本発明の１つの態様では、縫合糸アンカーは互いと組み立てられ得る第１の部分と第２の部分とを備え、縫合糸アンカーを標的部位に位置付ける工程は、分解されている状態の第１の部分と第２の部分とを横方向に腱の下に通し、次いで位置ガイドの周囲で第１の部分と第２の部分とを組み立てることを含む。好ましくは、第１の部分と第２の部分とを組み立てる工程中、位置ガイドは上腕頭と係合している。
【００１０】
好ましくは、錐頭部を横方向に腱の下に標的部位まで通し、位置ガイドを介して上腕頭に錐頭部を係合させる工程。次いで、錐頭部を上腕頭内に駆動して骨穴を作製することができる。好ましくは、位置ガイドはねじ付遠位先端部を備え、錐頭部を上腕頭内に駆動する工程は、錐頭部を位置ガイドのねじ付遠位先端部に係合させ、位置ガイドを介して錐頭部を嵌入させて骨穴を作製し、次いで骨穴から位置ガイドを螺出することにより錐頭部を位置ガイドから係脱することを含む。次いで、縫合糸アンカーを上腕頭内に駆動することができることは、縫合糸アンカーを骨穴に挿入することを含む。
【００１１】
本発明の１つの態様は、内部を縫合糸アンカーに挿入することを含み、その内部は腱を通じて縫合糸アンカーの凹部に入り、凹部内で縫合糸アンカーに係合する。好ましくは、内部は、内部に取り付けられた少なくとも１本の縫合糸を有する。
【００１２】
本発明に係る縫合糸アンカーキットは、縫合糸アンカーから延在する少なくとも１本の縫合糸肢部（limb）を有する縫合糸アンカーと、骨に入るための遠位端部と、反対側の近位端部と、遠位端部と近位端部との間の側面とを備える。縫合糸アンカー通過用具は、縫合糸アンカーの側面をつかむよう適合される。
【００１３】
好ましくは通過用具は、縫合糸アンカーに隣接して、また縫合糸アンカーを腱板の腱の下に通すのに十分なその長さにわたって、高さを有し、その高さは縫合糸アンカーの遠位端部と近位端部との間の縫合糸アンカーの長さ未満である。
【００１４】
本発明の１つの態様では、縫合糸アンカーは側面に開口部を有し、用具は開口部内に収まる大きさの遠位先端部を備え、それによりアンカーをつかむ。
【００１５】
好ましくは、係る縫合糸アンカーキットは更に、縫合糸アンカーを腱板の腱の下に通すための説明書を含む使用説明書を含む。
【００１６】
本発明に係る縫合糸アンカーキットは、腱板の腱を通過するよう適合された位置ガイドと、縫合糸アンカーと、縫合糸アンカーを上腕頭内に駆動するよう適合されたドライバと、縫合糸アンカーを横方向に腱板の腱の下に通し、腱板の腱を通過する位置ガイドを妨害することにより、縫合糸アンカーを標的部位に位置付けるための説明書とを備える。
【００１７】
本発明に係る縫合糸アンカーキットは、腱板の腱を通過するよう適合された位置ガイドと、縫合糸アンカーと、縫合糸アンカーを上腕頭内に駆動するよう適合されたドライバとを備え、ドライバは横方向に縫合糸アンカーと係合し、それにより、縫合糸アンカー及びドライバを横方向に腱板の腱の下に通すことにより、縫合糸アンカー及びドライバを腱板の腱の下の標的部位に位置付けることが可能になる。ドライバは、ラチェット機構を備えてもよい。ドライバはまた、縫合糸アンカーがその中心軸の周りを回転するよう適合された動力源付回転ドライブヘッドを備えてもよい。
【００１８】
本発明に係る縫合糸アンカーキットは、腱板の腱を通過するよう適合された位置ガイドと、その中心軸を通る中心孔を有する縫合糸アンカーであって、孔が横方向に開いており、それにより腱板の腱の真下の標的部位で位置ガイドと横方向に係合可能である縫合糸アンカーと、縫合糸アンカーを上腕頭内に駆動するよう適合されたドライバとを備える。
【００１９】
縫合糸アンカーは、第１の外側部と第２の外側部とを備えてもよく、第１の外側部と第２の外側部は腱板の腱の真下の標的部位で互いに横方向に中心孔内の位置ガイドと係合可能である。
【００２０】
本発明に係る縫合糸アンカーキットは、腱板の腱を通過するよう適合された遠位鋭先端部を有する長手方向に延在する位置ガイドと、位置ガイドの遠位先端部と螺合可能であり、上腕頭に骨穴を形成するよう適合された錐頭部と、縫合糸アンカーと、縫合糸アンカーを骨穴に挿入するよう適合されたドライバとを備える。
【００２１】
好ましくは、縫合糸アンカー及び錐のうちの少なくとも１つと横方向に係合可能であり、それにより腱板の腱の下に縫合糸アンカー及び錐のうちの少なくとも１つを挿入することを可能にするマニピュレータが提供される。好ましくは、縫合糸はアンカーから延在し、縫合糸係合ノッチがドライバ又は位置ガイドのうちの１つに設けられ、それにより縫合糸を縫合糸係合ノッチに捕捉し、縫合糸を腱板の腱に通すことが可能になる。
【図面の簡単な説明】
【００２２】
【図１】ＰＡＳＴＡ病変を示す腱板の上腕骨及び腱の側面図。
【図２】本発明に係る道具セットの側面図。
【図３】図１の上腕骨の側面図であり、図２の錐が腱の真下に位置付けられ、図２の第１のドライバが腱を通過し錐に係合する本発明に係る手順の工程を示す。
【図４】錐による腱の真下の上腕骨における骨穴の作製を示す図３の手順の側面図。
【図５】骨穴を示し、部位から取り外された錐及び第１のドライバを示す図３の手順の側面図。
【図６】骨穴で腱の真下に位置付けられた図２の縫合糸アンカー、及び腱に通して縫合糸アンカーを係合させる図２の第２のドライバを示す図３の手順の側面図。
【図７】骨穴に駆動されたアンカーを示す図３の手順の側面図。
【図８】上腕骨、並びに錐を腱に通す、本発明に係る道具セット及び手順の第２の実施形態の側面図。
【図９】錐による腱の真下の上腕骨における骨穴の穿孔（tap）を示す図８の手順の側面図。
【図１０】腱の真下の骨穴に通した縫合糸アンカーの外部体を示す図８の手順の側面図。
【図１１】骨穴に駆動された外部体を示す図８の手順の側面図。
【図１２】腱を通じて出ているガイドワイヤで骨穴内に位置付けられた外部体を示す図８の手順の側面図。
【図１３】縫合糸アンカーから延在する１対の縫合糸肢部を有する縫合糸アンカーの内部体と、ガイドワイヤを下行させて内部体と係合する挿管されたドライバを示す図８の手順の側面図。
【図１４】上腕骨と、脊髄針を腱に通して縫合糸アンカーを配置するために望ましい位置まで通した、本発明に係る道具セット及び手順の第３の実施形態の斜視図。
【図１５】（Ａ）および（Ｂ）共に、図１４の手順のための側面スロットを有する縫合糸アンカー、及び縫合糸アンカーの把持具の斜視図。
【図１６】腱の真下に通された縫合糸アンカーを示す図１４の手順の斜視図。
【図１７】上腕骨と、腱に通されたドライバを介して上腕骨に駆動された腱の下に通した縫合糸アンカーを示す、本発明に係る道具セット及び手順の第４の実施形態の斜視図。
【図１８】ドライバが軸方向ではなく横方向に縫合糸アンカーにトルクを与える、本発明に係る道具セットの第５の実施形態の側面図。
【発明を実施するための形態】
【００２３】
図１は、上腕頭１２と、上腕頭１２に付着している腱１４とを有する上腕骨１０を表す。腱１４は、上腕頭１２に付着しているフットプリント１６を有し、フットプリント１６の係脱部１８も見られる。腱１４と上腕頭１２との間の空間は、明確にするために誇張されている。
【００２４】
図２は、縫合糸アンカー２０と、縫合糸アンカー２０を腱のフットプリント１６の係脱部１８の真下の上腕頭１２内に配置するための道具２２を表す。道具２２は、第１のドライバ２４と、錐頭部２６と、第２のドライバ２８とを含む。第１のドライバ２４は細長い柄部３０を有し、ねじ３４及び鋭先３６を備える遠位端部３２で終結する。錐頭部２６は、近位端部４０にねじ付開口部３８を有し、遠位端部４４に円錐セクション４２を有する。第１のドライバ２４のねじ３４は、錐頭部２６のねじ付開口部３８と嵌合する。第２のドライバ２８は細長い柄部４６を備え、その遠位端部４８付近は六角形の断面５０を有し、鋭先５２で終結する。縫合糸アンカー２０は、遠位端部５４と、近位端部５６と、ねじ付外面５８と、第２のドライバ２８の六角形部５０と嵌合する近位端部５６における六角形開口部６０とを有する。１対の縫合糸６２が、縫合糸アンカー２０から延在する。
【００２５】
ここで図３〜７を見ると、修復のために、外科医は第１のドライバ２４の先３６を腱１４を通して挿入し、上腕頭１２上の外科医が縫合糸アンカー２０を埋め込みたい位置に先３６を配置する。先３６は、上腕頭１２内に僅かに叩打されて欠点（defect）を作製する。少量の生体適合性染料を先３６より運び、次いで、後に欠点を視覚的に見つけることが容易になるように叩打中骨に移行させてもよい。次いで図３に具体的に示すように、把持具に付着している錐頭部２６を有する把持具６４を腱１４の下に挿入し、錐頭部遠位端部４４を第１のドライバ２４により作製された欠点内に入れる。第１のドライバ２４を錐頭部２６内に螺入し、把持具６４を取り外す。次いで、第１のドライバ２４を介して上腕頭１２内に錐頭部２６を叩打し（具体的には図４参照）、縫合糸アンカー２０を受容するための穴６６を作製する。次いで、錐頭部２６を把持具６４により保持し、第１のドライバ２４から係脱し、取り外す（具体的には図５を参照）。
【００２６】
ここで穴６６が調製されたので、縫合糸アンカー２０を腱１４の下に通し、把持具６４を介して穴６６に位置付ける。第２のドライバ２８を腱１４に通し、好ましくは第１のドライバが通過したのと同じ位置に通し、縫合糸アンカー２０と係合させる（具体的には図６を参照）。次いで、アンカー２０を第２のドライバ２８を介して穴６６に駆動する。ここで、アンカー２０が成功裏に腱１４の真下に配置されることが、続く修復の完了に影響を及ぼす場合がある。例えば、縫合糸把持具（図示せず）を介して腱１４に通して縫合糸６２を異なる位置に通し、次いで縫合糸を張り、腱１４上で結び、上腕頭１２に腱１４を保持することができる。
【００２７】
好ましくはドライバ２４及び２８はそれぞれ、通過するときに腱１４に最低限の損傷しか与えないよう、強度に必要な最小直径を有する。好ましくは、それらは、少なくとも腱１４を通過する部分で、４ｍｍ未満、より好ましくは３ｍｍ未満の直径を有する。図示しない代替実施形態では、第１のドライバ２４及び第２のドライバ２８の特徴（つまり、ねじ３４及び六角形の断面５０）を１つのドライバに組み合わせて、腱１４の通過を必要な１回だけにする。縫合糸アンカー２０は、ステンレス鋼又は生体吸収性ポリマー等の任意の生体適合性材料で形成されてもよい。ＤｅＰｕｙ  Ｍｉｔｅｋ，Ｉｎｃ．（Ｒａｙｎｈａｍ，ＭＡ）から入手可能なＢＩＯＣＲＹＬ  ＲＡＰＩＤＥのＨＥＡＬＩＸ  ＢＲ二重ねじ付縫合糸アンカー。ＢＩＯＣＲＹＬ  ＲＡＰＩＤＥは、リン酸三カルシウム（ＴＣＰ）及びポリ酢酸／ポリグリコール酸（ＰＬＧＡ）の均質なブレンドで形成される生体吸収性ポリマーである。しかし、本発明に開示されたねじ付アンカー２０に限定されず、他の種類のアンカー、例えばプッシュインアンカーを用いてもよい。
【００２８】
ここで本発明の代替実施形態を示す図８〜図１３を見ると、遠位鋭先端部７０と、その近位の六角形の断面７２を有する錐６８が腱１４を貫通し、上腕頭１２内に叩打され、パイロット穴７４を形成する。アンカー外部体７６は、雄ねじ７８と、外側開口部８０と、アンカー外部体７６の近位端部８４における軸開口部８２とを有する。軸開口部は、錐６８の六角形の断面７２と嵌合する遠位六角形の断面８６を有し、また近位ねじ付部８８も有する。アンカー外部体７６を外側開口部８０を通して挿入された通過スティック９０を介して腱１４の下に通し、次いで錐６８は、六角形の断面８６を介してアンカー外部体７６を係合させる。通過スティック９０を取り外し、錐を用いてアンカー外部体７６をパイロット穴７４で上腕頭１２内に駆動する。ガイドワイヤ９２はアンカー本体の外に伸びたまま残され、錐６８が取り外されるとき腱１４を通じて引かれる。手順中、摩擦によりアンカー本体内に保持されて、後に取り外すのを容易にすることが好ましい。次いで、挿管された内部アンカー９４をガイドワイヤ９２の上から下行させ、アンカー外部体７６のねじ付部８８に係合させることができる。内部アンカー９４は、ねじ付外面９６と、六角形の近位開口部９８と、ガイドワイヤ９２を受容するための軸挿管１００と、縫合糸取付具１０２と、それから延在する１対の縫合糸末端１０４とを備える。内部アンカー９４を、遠位六角形部１０８とガイドワイヤ９２を受容するための挿管１１０とを有するドライバ１０６に搭載する。ガイドワイヤ９２を挿管１００及び１１０に螺入し、内部アンカー９４をガイドワイヤ９２に沿って下行させ、アンカー外部体７６のねじ付セクション８８と嵌合させる。内部アンカー９４と外部体７６との間の接続は螺入として示されているが、例えば、外部体７６上のリップ（lip）に係合して内部アンカー９４の近位引き出しを防ぐ、内部アンカー９４上の放射状に延在するバーブ（barb）によるスナップ嵌め等の他の種類の接続も可能である。次いで、ドライバ１０６及びガイドワイヤ９２を取り外し、内部アンカー９４を、腱１４を通過する１対の縫合糸端部１０４の対で腱１４の真下の上腕頭１２に固定された状態で残す。
【００２９】
図１４〜１６は、プッシュインアンカー１１２が遠位鋭先端部１１４と、骨への固定を促進するためのとげ付外隆起部１１６と、全長側面開口部１２０を有する軸挿管１１８とを備える、本発明の更なる実施形態を示す。把持具１２２は、遠位端部１２６に、アンカー１１２でスナップ嵌めするよう適合された半円切欠部１２４を有する。ＰＡＳＴＡ病変の修復に影響を与えるため、外科医は脊髄針等の針１２８を腱１４に通して入れ、アンカー１１２を配置するために望ましい位置で上腕頭１２に係合する。アンカー１１２を、把持具１２２を介して腱１４の下に摺動させ、その側面開口部１２０を通して挿管１１８内に針１２８が係合するよう適合させる。開口部１２０は、アンカー１１２を針１２８にスナップ嵌めさせるような大きさであってよい。次いで、挿管ドライバ１３０を針１２８の上から下行させ、アンカー１１２が上腕頭１２内に叩打され得るよう近位端部１３２でアンカー１１２と係合させる。
【００３０】
図１７は、遠位鋭先端部１３４と、とげ付隆起部１３６と、近位用具受容開口部１３８とを有するプッシュインアンカー１３２を、把持具１２２と類似の把持具１４０で操作する、類似実施形態を示す。ここでは、ドライバ１４２は、アンカー１３２を配置するために望ましい位置で上腕頭１２内に小さなパイロット穴を開けるために最初に用いられる遠位鋭先端部１４４を有する。次いで、アンカー１３２を腱１４の下に摺動させ、穴内に先端部１３４を位置付ける。ドライバ先端部１４４はアンカー１３２の開口部１３８に係合し、次いでアンカー１３２は上腕頭１２内に叩打される。
【００３１】
図１８は、ねじ付アンカー１４６と、六角頭等の、軸方向にではなく側方からアンカー１４６に係合するアンカー係合具１５０を有するドライバ１４８とを係合させるための別の代替物を示す。開口手順のために、ドライバは単純なラチェット機構１５２を有し、係合具１５０を通してアンカー１４６にトルクを与え、らせん状に腱の真下の骨に入ることを可能にする。次いで、ドライバ１４２を下向きの力のために用いてもよく、回転力を与えなければならない訳ではない。関節鏡視下手順では、回転柄部が係合具１５０に接続されたウォームギア又は類似のギアに係合し、アンカー１４６を回転させるために適切な軸に回転を平行移動する、電気駆動を有することが好ましい。他の駆動機構としては、鎖及び歯車又はベルト駆動を挙げることができる。
【００３２】
本発明の範囲及び趣旨から乖離することなく本発明の種々の変形及び変更は当技術分野の当業者にとって自明のことであろう。本発明は本明細書に開示された実施形態に限定されるものではなく、特許請求の範囲は先行技術と同程度広義に解釈されるべきであることを理解すべきである。例えば、遠位先端部がアンカーの穴に収まり、摩擦、スナップ嵌め、一時的接着、ねじ、脆性接続、磁性等により保持される代替把持具設計を用いてもよい。かかる増強を他の把持具に用いてもよい。更に、アンカーは外面上に欠刻又は平坦部を有し、片持把持具又は図１５Ｂ等に示すようなスナップ嵌め外部把持具による把持をより容易にすることができる。
【００３３】
〔実施の態様〕
（１）  不全断裂腱板の腱をその関連上腕頭に付着させる方法であって、
位置ガイドを標的部位で前記上腕頭に向けて前記腱に通す工程と、
縫合糸アンカーを横方向に前記腱の下に通すことにより、前記縫合糸アンカーを前記標的部位で前記上腕頭と前記腱との間に位置付ける工程と、
前記縫合糸アンカーを前記上腕頭内に駆動する工程と、
縫合糸を前記縫合糸アンカーから前記腱に通して前記標的部位で前記上腕頭に前記腱を付着させる工程と、を含む、方法。
（２）  前記位置ガイドが針である、実施態様１に記載の方法。
（３）  前記縫合糸アンカーを前記上腕頭内に駆動する工程が、前記腱と前記上腕頭との間に横方向に挿入された用具を介して前記縫合糸アンカーを回転させることを含む、実施態様１に記載の方法。
（４）  前記用具がラチェット駆動を使用する、実施態様３に記載の方法。
（５）  前記縫合糸アンカーを駆動する工程が、ドライバを前記位置ガイドの上から前記腱に通して、前記縫合糸アンカーを係合させることを含む、実施態様１に記載の方法。
（６）  前記縫合糸アンカーがねじ付であり、前記ドライバが前記縫合糸アンカーを前記上腕頭内に回転させる、実施態様５に記載の方法。
（７）  前記ドライバが前記縫合糸アンカーを前記上腕頭に押し込む、実施態様５に記載の方法。
（８）  前記縫合糸アンカーが互いに組み立てられ得る第１の部分と第２の部分とを備え、前記縫合糸アンカーを前記標的部位に位置付ける工程が、分解されている状態の前記第１の部分と前記第２の部分とを横方向に前記腱の下に通し、次いで前記位置ガイドの周囲で前記第１の部分と前記第２の部分とを組み立てる工程を含む、実施態様１に記載の方法。
（９）  前記位置ガイドが、前記第１の部分と前記第２の部分とを組み立てる工程中、前記上腕頭と係合している、実施態様８に記載の方法。
（１０）  錐頭部を横方向に前記腱の下に前記標的部位まで通し、前記位置ガイドを介して前記上腕頭に前記錐頭部を係合させる工程を更に含む、実施態様１に記載の方法。
【００３４】
（１１）  前記錐頭部を前記上腕頭内に駆動して骨穴を作製する工程を更に含む、実施態様１０に記載の方法。
（１２）  前記位置ガイドがねじ付遠位先端部を備え、前記錐頭部を前記上腕頭内に駆動する工程が、前記錐頭部を前記位置ガイドの前記ねじ付遠位先端部に係合させ、前記位置ガイドを介して前記錐頭部を嵌入させて前記骨穴を作製し、次いで前記骨穴から前記位置ガイドを螺出することにより前記錐頭部を前記位置ガイドから係脱することを含む、実施態様１１に記載の方法。
（１３）  前記縫合糸アンカーを前記上腕頭内に駆動する工程が、前記縫合糸アンカーを前記骨穴に挿入することを含む、実施態様１１に記載の方法。
（１４）  内部を前記縫合糸アンカーに挿入する工程を更に含み、前記内部は前記腱を通じて前記縫合糸アンカーの凹部に入り、前記凹部内で前記縫合糸アンカーに係合する、実施態様１に記載の方法。
（１５）  前記内部が、前記内部に取り付けられた少なくとも１本の縫合糸を有する、実施態様１４に記載の方法。
（１６）  縫合糸アンカーキットであって、
縫合糸アンカーであって、前記縫合糸アンカーから延在する少なくとも１本の縫合糸肢部を有し、骨に入るための遠位端部と、反対側の近位端部と、前記遠位端部と前記近位端部との間の側面と、を備える、縫合糸アンカーと、
前記縫合糸アンカーの側面をつかむよう適合された縫合糸アンカー通過用具と、を備える、キット。
（１７）  前記通過用具が、前記縫合糸アンカーに隣接して、また前記縫合糸アンカーを腱板の腱の下に通すのに十分なその長さにわたって、高さを有し、前記高さは前記縫合糸アンカーの遠位端部と近位端部との間の前記縫合糸アンカーの長さ未満である、実施態様１６に記載の縫合糸アンカーキット。
（１８）  前記縫合糸アンカーが側面に開口部を有し、前記用具が前記開口部内に収まる大きさの遠位先端部を備え、それにより前記アンカーをつかむ、実施態様１６に記載の縫合糸アンカーキット。
（１９）  前記縫合糸アンカーを腱板の腱の下に通すための説明書を含む使用説明書を更に含む、実施態様１６に記載の縫合糸アンカーキット。
（２０）  縫合糸アンカーキットであって、
腱板の腱を通過するよう適合された位置ガイドと、
縫合糸アンカーと、
前記縫合糸アンカーを上腕頭内に駆動するよう適合されたドライバと、
前記縫合糸アンカーを横方向に腱板の腱の下に通し、前記腱板の腱を通過する前記位置ガイドを妨害することにより、前記縫合糸アンカーを標的部位に位置付けるための説明書と、を備える、キット。
【００３５】
（２１）  縫合糸アンカーキットであって、
腱板の腱を通過するよう適合された位置ガイドと、
縫合糸アンカーと、
前記縫合糸アンカーを上腕頭内に駆動するよう適合されたドライバと、を備え、
前記ドライバが横方向に前記縫合糸アンカーと係合し、それらを横方向に前記腱板の腱の下に通すことにより、前記縫合糸アンカー及び前記ドライバを腱板の腱の下の標的部位に位置付ける、キット。
（２２）  前記ドライバがラチェット機構を備える、実施態様２１に記載の縫合糸アンカーキット。
（２３）  前記ドライバが、前記縫合糸アンカーがその中心軸の周りを回転するよう適合された動力源付回転ドライブヘッドを備える、実施態様２１に記載の縫合糸アンカーキット。
（２４）  縫合糸アンカーキットであって、
腱板の腱を通過するよう適合された位置ガイドと、
中心軸を通る中心孔を有する縫合糸アンカーであって、前記孔が横方向に開いており、それにより前記腱板の腱の真下の標的部位で前記位置ガイドと横方向に係合可能である、縫合糸アンカーと、
前記縫合糸アンカーを上腕頭内に駆動するよう適合されたドライバと、を備える、キット。
（２５）  前記縫合糸アンカーが、第１の外側部と第２の外側部とを備え、前記第１の外側部と前記第２の外側部が、腱板の腱の真下の標的部位で互いに横方向に前記中心孔内の前記位置ガイドと係合可能である、実施態様２４に記載の縫合糸アンカーキット。
（２６）  縫合糸アンカーキットであって、
腱板の腱を通過するよう適合された遠位鋭先端部を有する長手方向に延在する位置ガイドと、
前記位置ガイドの前記遠位先端部と螺合可能であり、上腕頭に骨穴を形成するよう適合された錐頭部と、
縫合糸アンカーと、
前記縫合糸アンカーを前記骨穴に挿入するよう適合されたドライバと、を備える、キット。
（２７）  前記縫合糸アンカー及び錐のうちの少なくとも１つと横方向に係合可能であり、それにより前記腱板の腱の下に前記縫合糸アンカー及び錐のうちの少なくとも１つを挿入することを可能にするマニピュレータを更に備える、実施態様２６に記載の縫合糸アンカーキット。
（２８）  前記アンカーから延在する縫合糸と、縫合糸係合ノッチであって、前記ドライバ又は前記位置ガイドのうちの１つに設けられ、それにより前記縫合糸を前記縫合糸係合ノッチに捕捉し、前記腱板の腱に前記縫合糸を通す、縫合糸係合ノッチと、を更に含む、実施態様２６に記載の縫合糸アンカーキット。
【図１】
2011092741.tif 000003
【図２】
2011092741.tif 000004
【図３】
2011092741.tif 000005
【図４】
2011092741.tif 000006
【図５】
2011092741.tif 000007
【図６】
2011092741.tif 000008
【図７】
2011092741.tif 000009
【図８】
2011092741.tif 000010
【図９】
2011092741.tif 000011
【図１０】
2011092741.tif 000012
【図１１】
2011092741.tif 000013
【図１２】
2011092741.tif 000014
【図１３】
2011092741.tif 000015
【図１４】
2011092741.tif 000016
【図１５】
2011092741.tif 000017
【図１６】
2011092741.tif 000018
【図１７】
2011092741.tif 000019
【図１８】
2011092741.tif 000020
【外国語明細書】
2011092741000001.pdf